(57)【要約】      （修正有）【課題】遊技者を惹きつけることができる遊技機部品、遊技機及び遊技媒体貸出機、並びに島設備を提供する。【解決手段】遊技機部品１０は、遊技機又は遊技媒体貸出機を構成する部品である。この遊技機部品１０は、鍍金調塗料１２を塗装したプラスチック成型品１１における、互いに異なる角度を有する面の一部分を治具でマスクしてから、残りの露呈した部分に、紫外線により発色する蛍光塗料１３を塗装することで製造される。遊技機部品１０を備える遊技機又は遊技媒体貸出機は、遊技機部品１０に向けて紫外線を照射する照射手段と共に、島設備を構成する。【選択図】図１
0003179981.tif 000002
【実用新案登録請求の範囲】
【請求項１】
遊技機又は遊技媒体貸出機を構成する部品であって、
３次元となる面に対して、部分的に、紫外線によって発色する蛍光塗料層が形成されていることを特徴とする、
遊技機部品。
【請求項２】
前記蛍光塗料層は、該蛍光塗料層が形成されない他の部分を治具でマスクした状態で、スプレー塗付によって形成されていることを特徴とする、
請求項１に記載の遊技機部品
【請求項３】
前記３次元となる面は、プラスチック成型品に鍍金したもの、又は、プラスチック成型品に鍍金調塗料を塗装したものであることを特徴とする、
請求項１又は２に記載の遊技機部品。
【請求項４】
前記３次元となる面は、プラスチック成型品の生地であることを特徴とする、
請求項１又は２に記載の遊技機部品。
【請求項５】
前記プラスチック成型品は、ネジ又はボルトがねじ込まれるボスを備え、
前記ボスは、前記治具に嵌め込む位置決め用の突起として機能することを特徴とする、
請求項３又は４に記載の遊技機部品。
【請求項６】
請求項１〜５のいずれかに記載の遊技機部品を備えることを特徴とする、
遊技機。
【請求項７】
請求項１〜５のいずれかに記載の遊技機部品を備えることを特徴とする、
遊技媒体貸出機。
【請求項８】
請求項６に記載の遊技機、又は、請求項７に記載の遊技媒体貸出機と、
前記遊技機部品に向けて紫外線を照射する照射手段と、を備えることを特徴とする、
島設備。
【考案の詳細な説明】
【技術分野】
【０００１】
本考案は、スロットマシンやパチンコ機などの遊技機を構成する遊技機部品、遊技機及び遊技媒体貸出機、並びに島設備に関する。
【背景技術】
【０００２】
従来、スロットマシンやパチンコ機などの遊技機は、装飾部品を配置することで、装飾を施している（特許文献１参照）。
【先行技術文献】
【特許文献】
【０００３】
【特許文献１】特開２００１−２７６３７８号公報
【考案の概要】
【考案が解決しようとする課題】
【０００４】
しかしながら、装飾部品で単に装飾するだけでは、他の遊技機と差別化することができず、遊技者を惹きつけることはできない。
【０００５】
本考案は、上記課題を鑑みてなされたものであり、遊技者を惹きつけることができる遊技機部品、遊技機及び遊技媒体貸出機、並びに島設備を提供することを目的とする。
【課題を解決するための手段】
【０００６】
（１）本考案は、遊技機又は遊技媒体貸出機を構成する部品であって、３次元となる面に対して、部分的に、紫外線によって発色する蛍光塗料層が形成されていることを特徴とする、遊技機部品である。
【０００７】
本考案によれば、紫外線（例えば、ブラックライト）がその凹凸（３次元となる面）に陰影をもって照らされるので、蛍光にもグラデーションを創出させることができ、結果として美観が高まる。これにより、従来にないデザインに優れる遊技機部品を構成することができる。この遊技機部品を遊技機又は遊技媒体貸出機に取り付けておき、当該遊技機部品に適宜紫外線を照射することで、新たな演出が可能になる。これにより、他の遊技機と差別化することができる。結果、遊技者を惹きつけることができる。
【０００８】
（２）本考案はまた、前記蛍光塗料層は、該蛍光塗料層が形成されない他の部分を治具でマスクした状態で、スプレー塗付によって形成されていることを特徴とする、上記（１）に記載の遊技機部品である。
【０００９】
上記考案によれば、オフセット印刷、シルク印刷、パッド印刷などで実現できない印刷状態を可能にする。すなわち、３次元となる面の一部分への塗装（印刷）を可能にする。そして、遊技機部品は、紫外線（例えば、ブラックライト）により発色する蛍光塗料が塗装されているので、紫外線の照射により、遊技機部品の蛍光塗料を塗装した一部分（例えば、目立たせたい部分）を発色させることができる。結果、遊技者をさらに惹きつけることができる。
【００１０】
（３）本考案はまた、前記３次元となる面は、プラスチック成型品に鍍金したもの、又は、プラスチック成型品に鍍金調塗料を塗装したものであることを特徴とする、上記（１）又は（２）に記載の遊技機部品である。
【００１１】
（４）本考案はまた、前記３次元となる面は、プラスチック成型品の生地（素地）であることを特徴とする、上記（１）又は（２）に記載の遊技機部品である。
【００１２】
上記（３）及び（４）に記載の考案によれば、鍍金又は鍍金調塗料の光沢に、蛍光塗料による青色、赤色、緑色などの発色を重ね合わせることができる。これにより、従来にない色と輝きによる演出を可能にする。結果、遊技者をさらに惹きつけることができる。
【００１３】
（５）本考案はまた、前記プラスチック成型品は、ネジ又はボルトがねじ込まれるボスを備え、前記ボスは、前記治具に嵌め込む位置決め用の突起として機能することを特徴とする、上記（３）又は（４）に記載の遊技機部品である。
【００１４】
上記考案によれば、プラスチック成型品が備えるボスによって治具への位置決めが可能になるので、プラスチック成型品の形状特性を生かしつつ、治具によるマスク塗装作業を簡単に行うことができる。これにより、製造に要する時間を短縮することができる。また、作業に不慣れな者であっても作業することができる。このため、人件費を削減することができ、ひいては、安価かつ大量に製造することができる。
【００１５】
（６）本考案はまた、上記（１）〜（５）のいずれかに記載の遊技機部品を備えることを特徴とする、遊技機である。
【００１６】
（７）本考案はまた、上記（１）〜（５）のいずれかに記載の遊技機部品を備えることを特徴とする、遊技媒体貸出機である。
【００１７】
（８）本考案はまた、上記（６）に記載の遊技機、又は上記（７）に記載の遊技媒体貸出機と、前記遊技機部品に向けて紫外線を照射する照射手段と、を備えることを特徴とする、島設備である。
【考案の効果】
【００１８】
本考案の上記（１）〜（５）に記載の遊技機部品、上記（６）に記載の遊技機及び上記（７）に記載の遊技媒体貸出機、並びに上記（８）に記載の島設備によれば、他の遊技機と差別化することができ、遊技者を惹きつけることができる。
【図面の簡単な説明】
【００１９】
【図１】本発明の実施形態に係る遊技機部品を示す図であり、（Ａ）は正面図であり、（Ｂ）は底面図であり、（Ｃ）は背面図である。
【図２】製造工程を説明する遊技機部品の正面図であり、（Ａ）は塗装前の状態を、（Ｂ）は鍍金調塗料を塗装した後の状態を、（Ｃ）は蛍光塗料を塗装した後の状態を、（Ｄ）は文字をマーキングした後の完成した状態を、それぞれ示す。
【図３】治具の正面図である。
【図４】正面側プレートを省略して示す治具の正面図である。
【考案を実施するための形態】
【００２０】
以下、図面を参照して、本考案の実施形態に係る遊技機部品について詳細に説明する。
【００２１】
まず、図１を用いて、遊技機部品１０の構成について説明する。図１は、遊技機部品１０を示す図である。同図（Ａ）は、正面図である。同図（Ｂ）は、底面図である。同図（Ｃ）は、背面図である。
【００２２】
図１（Ａ）〜図１（Ｃ）に示される遊技機部品１０は、球貸機やメダル貸出機などの遊技媒体貸出機（図示省略）を構成する外装部品である。この遊技機部品１０は、例えば、黒色で半透明のプラスチック成型品１１からなる。プラスチック成型品１１は、遊技媒体貸出機の操作ボタン（図示省略）が配設される部分１１ａが開口している。プラスチック成型品１１の正面側の３次元となる面には、例えばシルバー調の鍍金調塗料１２と、紫外線（例えば、ブラックライト）により発色する蛍光塗料１３と、が塗装されている。
【００２３】
鍍金調塗料１２は、遊技媒体貸出機の表示部（図示省略）に対応する部分１１ｂ以外に塗装されて、鍍金調塗料層を形成する。蛍光塗料１３は、鍍金調塗料層の上に重ねて塗装される。この蛍光塗料１３は、操作ボタン（図示省略）が配設される部分１１ａの周囲に沿って、また、表示部に対応する部分１１ｂの周囲に点在するように塗装されて、蛍光塗料層を形成する。すなわち、蛍光塗料１３は、３次元となる面に対して、部分的に塗装されている。そして、プラスチック成型品１１には、文字１４がマーキングされている。なお、プラスチック成型品１１の背面側には、遊技媒体貸出機に取り付ける際にネジ又はボルトがねじ込まれる複数のボス１１ｃが形成されている。これら複数のボス１１ｃは、蛍光塗料１３を塗装する際に使用される治具２０（図３及び図４参照）に嵌め込む位置決め用の突起として機能する。
【００２４】
なお、遊技機部品１０を備える遊技媒体貸出機は、遊技場の島設備（図示省略）に設置される。島設備には、遊技機部品１０に向けて紫外線（例えば、ブラックライト）を照射する照射手段が配置される。これにより、遊技機部品１０に塗装された蛍光塗料１３を発色させることができる。なお、照射手段は、例えば遊技場の天井などに配置されていてもよく、この場合であっても、当該照射手段は島設備を構成する。すなわち、照射手段は、島設備の本体から遠隔して配置されていてもよい。
【００２５】
次に、図２を用いて、遊技機部品１０の製造工程を説明する。図２は、製造工程を説明する遊技機部品１０の正面図である。同図（Ａ）は、塗装前の状態を示す。同図（Ｂ）は、鍍金調塗料１２を塗装した後の状態を示す。同図（Ｃ）は、蛍光塗料１３を塗装した後の状態を示す。同図（Ｄ）は、文字１４をマーキングした後の完成した状態を示す。
【００２６】
まず、図２（Ａ）に示されるプラスチック成型品１１に対し、遊技媒体貸出機の表示部（図示省略）に対応する部分１１ｂを治具（図示省略）でマスクしてから、残りの露呈した部分（１１ｂ以外の部分）に鍍金調塗料１２を塗装する（図２（Ｂ）参照）。
【００２７】
そして、図２（Ｂ）に示される鍍金調塗料１２を塗装したプラスチック成型品１１に対し、詳細は後述する治具（図３及び図４参照）でマスクしてから、スプレー塗付によって、残りの露呈した部分に蛍光塗料１３を塗装する（図２（Ｃ）参照）。
【００２８】
さらに、図２（Ｃ）に示される蛍光塗料１３を塗装したプラスチック成型品１１に対し、文字１４をマーキングする。これにより、遊技機部品１０が製造される。
【００２９】
次に、図３及び図４を用いて、プラスチック成型品１１をマスクする治具２０の構成を説明する。図３は、治具２０の正面図である。図４は、正面側プレート２２を省略して示す治具２０の正面図である。
【００３０】
図３及び図４に示される治具２０は、蛍光塗料１３を塗装する際に使用される。この治具２０は、プラスチック成型品１１の背面側を覆う背面側プレート２１と、プラスチック成型品１１の正面側を覆う正面側プレート２２と、これらのプレート２１，２２を連結するヒンジ２３と、を備えている。背面側プレート２１には、プラスチック成型品１１に形成されている複数のボス１１ｃが嵌め込まれる複数の窪み２１ａ等が形成されている。正面側プレート２２は、蛍光塗料１３を塗装する部分に対応する部分２２ａ，２２ｂが開口している。この治具２０によれば、プラスチック成型品１１の一部分をマスクしてから、残りの露呈した部分（開口した部分２２ａ，２２ｂから露呈した部分）に、蛍光塗料１３を塗装することが可能になる。
【００３１】
このように、遊技機部品１０によれば、紫外線（例えば、ブラックライト）がその凹凸（３次元となる面）に陰影をもって照らされるので、蛍光にもグラデーションを創出させることができ、結果として美観が高まる。これにより、従来にないデザインに優れる遊技機部品を構成することができる。この遊技機部品を遊技機又は遊技媒体貸出機に取り付けておき、当該遊技機部品に適宜紫外線を照射することで、新たな演出が可能になる。これにより、他の遊技機と差別化することができる。結果、遊技者を惹きつけることができる。
【００３２】
そして、オフセット印刷、シルク印刷、パッド印刷などで実現できない印刷状態を可能にする。すなわち、３次元となる面の一部分への塗装（印刷）を可能にする。そして、遊技機部品１０は、紫外線（例えば、ブラックライト）により発色する蛍光塗料が塗装されているので、紫外線の照射により、遊技機部品１０の蛍光塗料１３を塗装した一部分（例えば、目立たせたい部分）を発色させることができる。結果、遊技者をさらに惹きつけることができる。
【００３３】
また、鍍金調塗料１２の光沢に、蛍光塗料１３による青色、赤色、緑色などの発色を重ね合わせることができる。これにより、従来にない色と輝きによる演出を可能にする。結果、遊技者をさらに惹きつけることができる。
【００３４】
さらに、プラスチック成型品１１が備えるボス１１ｃによって治具２０への位置決めが可能になるので、プラスチック成型品１１の形状特性を生かしつつ、治具２０によるマスク塗装作業を簡単に行うことができる。これにより、製造に要する時間を短縮することができる。また、作業に不慣れな者であっても作業することができる。このため、人件費を削減することができ、ひいては、安価かつ大量に製造することができる。
【００３５】
本考案は、上記実施形態に限られるものではなく、その趣旨及び技術思想を逸脱しない範囲で種々の変形が可能である。例えば、各構成の位置、大きさ、形状、材質、向き、数量等は適宜変更できる。
【００３６】
あるいは、上記実施形態において、蛍光塗料１３が塗装される３次元となる面は、プラスチック成型品１１に鍍金調塗料１２を塗装したものであるが、本発明はこれに限定されず、プラスチック成型品１１に各種鍍金（例えば、電界鍍金、真空蒸着）を施したものであってもよい。あるいは、プラスチック成型品１１の生地（素地）であってもよい。
【００３７】
あるいは、上記実施形態において、遊技機部品１０は、外装部品であるが、遊技者から視認することができればよく、内装部品であってもよい。
【００３８】
あるいは、上記実施形態において、遊技機部品１０は、遊技媒体貸出機を構成する部品であるが、これに限定されず、スロットマシンやパチンコ機などの遊技機を構成する部品であってもよい。
【符号の説明】
【００３９】
１０  遊技機部品
１１  プラスチック成型品（対象物）
１１ａ  操作ボタンが配設される部分
１１ｂ  表示部に対応する部分
１１ｃ  ボス
１２  鍍金調塗料
１３  蛍光塗料
２０  治具
２１  背面側プレート
２２  正面側プレート
２２ａ，２３ａ  蛍光塗料を塗装する部分に対応する部分
２３  ヒンジ
【図１】
0003179981.tif 000003
【図２】
0003179981.tif 000004
【図３】
0003179981.tif 000005
【図４】
0003179981.tif 000006
【手続補正書】
【提出日】平成24年9月20日(2012.9.20)
【手続補正１】
【補正対象書類名】実用新案登録請求の範囲
【補正対象項目名】全文
【補正方法】変更
【補正の内容】
【実用新案登録請求の範囲】
【請求項１】
遊技機又は遊技媒体貸出機を構成する部品であって、
３次元を構成する物品における、互いに異なる角度を有する面に対して、互いに異なる角度を有する複数の部分に、紫外線によって発色する蛍光塗料層が形成されていることを特徴とする、
遊技機部品。
【請求項２】
前記互いに異なる角度を有する複数の部分であって、前記蛍光塗料層が形成されている部分は、紫外線が照らされることでグラデーションをもって発色する部分であることを特徴とする、
請求項１に記載の遊技機部品。
【請求項３】
前記蛍光塗料層は、該蛍光塗料層が形成されない他の部分を治具でマスクした状態で、スプレー塗付によって形成されていることを特徴とする、
請求項１又は２に記載の遊技機部品
【請求項４】
前記面は、プラスチック成型品に鍍金したもの、又は、プラスチック成型品に鍍金調塗料を塗装したものであることを特徴とする、
請求項１〜３のいずれかに記載の遊技機部品。
【請求項５】
前記面は、プラスチック成型品の生地であることを特徴とする、
請求項１〜３のいずれかに記載の遊技機部品。
【請求項６】
前記プラスチック成型品は、ネジ又はボルトがねじ込まれるボスを備え、
前記ボスは、前記治具に嵌め込む位置決め用の突起として機能することを特徴とする、
請求項４又は５に記載の遊技機部品。
【請求項７】
請求項１〜６のいずれかに記載の遊技機部品を備えることを特徴とする、
遊技機。
【請求項８】
請求項１〜６のいずれかに記載の遊技機部品を備えることを特徴とする、
遊技媒体貸出機。
【請求項９】
遊技機及び遊技媒体貸出機を備える島設備において、
前記遊技機は請求項７に記載の遊技機であり、又は、前記遊技媒体貸出機は請求項８に記載の遊技媒体貸出機であり、
前記遊技機部品に向けて紫外線を照射する照射手段を備えることを特徴とする、
島設備。
【手続補正２】
【補正対象書類名】明細書
【補正対象項目名】０００６
【補正方法】変更
【補正の内容】
【０００６】
（１）本考案は、遊技機又は遊技媒体貸出機を構成する部品であって、３次元を構成する物品における、互いに異なる角度を有する面に対して、互いに異なる角度を有する複数の部分に、紫外線によって発色する蛍光塗料層が形成されていることを特徴とする、遊技機部品である。
【手続補正３】
【補正対象書類名】明細書
【補正対象項目名】０００７
【補正方法】変更
【補正の内容】
【０００７】
本考案によれば、紫外線（例えば、ブラックライト）がその凹凸（３次元を構成する物品における、互いに異なる角度を有する面）に陰影をもって照らされるので、蛍光にもグラデーションを創出させることができ、結果として美観が高まる。これにより、従来にないデザインに優れる遊技機部品を構成することができる。この遊技機部品を遊技機又は遊技媒体貸出機に取り付けておき、当該遊技機部品に適宜紫外線を照射することで、新たな演出が可能になる。これにより、他の遊技機と差別化することができる。結果、遊技者を惹きつけることができる。
【手続補正４】
【補正対象書類名】明細書
【補正対象項目名】０００８
【補正方法】変更
【補正の内容】
【０００８】
（２）本考案はまた、前記互いに異なる角度を有する複数の部分であって、前記蛍光塗料層が形成されている部分は、紫外線が照らされることでグラデーションをもって発色する部分であることを特徴とする、上記（１）に記載の遊技機部品である。
（３）本考案はまた、前記蛍光塗料層は、該蛍光塗料層が形成されない他の部分を治具でマスクした状態で、スプレー塗付によって形成されていることを特徴とする、上記（１）又は（２）に記載の遊技機部品である。
【手続補正５】
【補正対象書類名】明細書
【補正対象項目名】０００９
【補正方法】変更
【補正の内容】
【０００９】
上記考案によれば、オフセット印刷、シルク印刷、パッド印刷などで実現できない印刷状態を可能にする。すなわち、３次元を構成する物品における、互いに異なる角度を有する面の一部分への塗装（印刷）を可能にする。そして、遊技機部品は、紫外線（例えば、ブラックライト）により発色する蛍光塗料が塗装されているので、紫外線の照射により、遊技機部品の蛍光塗料を塗装した一部分（例えば、目立たせたい部分）を発色させることができる。結果、遊技者をさらに惹きつけることができる。
【手続補正６】
【補正対象書類名】明細書
【補正対象項目名】００１０
【補正方法】変更
【補正の内容】
【００１０】
（４）本考案はまた、前記面は、プラスチック成型品に鍍金したもの、又は、プラスチック成型品に鍍金調塗料を塗装したものであることを特徴とする、上記（１）〜（３）のいずれかに記載の遊技機部品である。
【手続補正７】
【補正対象書類名】明細書
【補正対象項目名】００１１
【補正方法】変更
【補正の内容】
【００１１】
（５）本考案はまた、前記面は、プラスチック成型品の生地（素地）であることを特徴とする、上記（１）〜（３）のいずれかに記載の遊技機部品である。
【手続補正８】
【補正対象書類名】明細書
【補正対象項目名】００１２
【補正方法】変更
【補正の内容】
【００１２】
上記（４）及び（５）に記載の考案によれば、鍍金又は鍍金調塗料の光沢に、蛍光塗料による青色、赤色、緑色などの発色を重ね合わせることができる。これにより、従来にない色と輝きによる演出を可能にする。結果、遊技者をさらに惹きつけることができる。
【手続補正９】
【補正対象書類名】明細書
【補正対象項目名】００１３
【補正方法】変更
【補正の内容】
【００１３】
（６）本考案はまた、前記プラスチック成型品は、ネジ又はボルトがねじ込まれるボスを備え、前記ボスは、前記治具に嵌め込む位置決め用の突起として機能することを特徴とする、上記（４）又は（５）に記載の遊技機部品である。
【手続補正１０】
【補正対象書類名】明細書
【補正対象項目名】００１５
【補正方法】変更
【補正の内容】
【００１５】
（７）本考案はまた、上記（１）〜（６）のいずれかに記載の遊技機部品を備えることを特徴とする、遊技機である。
【手続補正１１】
【補正対象書類名】明細書
【補正対象項目名】００１６
【補正方法】変更
【補正の内容】
【００１６】
（８）本考案はまた、上記（１）〜（６）のいずれかに記載の遊技機部品を備えることを特徴とする、遊技媒体貸出機である。
【手続補正１２】
【補正対象書類名】明細書
【補正対象項目名】００１７
【補正方法】変更
【補正の内容】
【００１７】
（９）本考案はまた、遊技機及び遊技媒体貸出機を備える島設備において、前記遊技機は上記（７）に記載の遊技機であり、又は、前記遊技媒体貸出機は上記（８）に記載の遊技媒体貸出機であり、前記遊技機部品に向けて紫外線を照射する照射手段を備えることを特徴とする、島設備である。
【手続補正１３】
【補正対象書類名】明細書
【補正対象項目名】００１８
【補正方法】変更
【補正の内容】
【００１８】
本考案の上記（１）〜（６）に記載の遊技機部品、上記（７）に記載の遊技機及び上記（８）に記載の遊技媒体貸出機、並びに上記（９）に記載の島設備によれば、他の遊技機と差別化することができ、遊技者を惹きつけることができる。
【手続補正１４】
【補正対象書類名】明細書
【補正対象項目名】００２２
【補正方法】変更
【補正の内容】
【００２２】
図１（Ａ）〜図１（Ｃ）に示される遊技機部品１０は、球貸機やメダル貸出機などの遊技媒体貸出機（図示省略）を構成する外装部品である。この遊技機部品１０は、例えば、黒色で半透明のプラスチック成型品１１からなる。プラスチック成型品１１は、遊技媒体貸出機の操作ボタン（図示省略）が配設される部分１１ａが開口している。３次元を構成するプラスチック成型品１１の正面側の互いに異なる角度を有する面には、例えばシルバー調の鍍金調塗料１２と、紫外線（例えば、ブラックライト）により発色する蛍光塗料１３と、が塗装されている。
【手続補正１５】
【補正対象書類名】明細書
【補正対象項目名】００２３
【補正方法】変更
【補正の内容】
【００２３】
鍍金調塗料１２は、遊技媒体貸出機の表示部（図示省略）に対応する部分１１ｂ以外に塗装されて、鍍金調塗料層を形成する。蛍光塗料１３は、鍍金調塗料層の上に重ねて塗装される。この蛍光塗料１３は、操作ボタン（図示省略）が配設される部分１１ａの周囲に沿って、また、表示部に対応する部分１１ｂの周囲に点在するように塗装されて、蛍光塗料層を形成する。すなわち、蛍光塗料１３は、３次元を構成する物品における、互いに異なる角度を有する面に対して、互いに異なる角度を有する複数の部分に塗装されている。そして、プラスチック成型品１１には、文字１４がマーキングされている。なお、プラスチック成型品１１の背面側には、遊技媒体貸出機に取り付ける際にネジ又はボルトがねじ込まれる複数のボス１１ｃが形成されている。これら複数のボス１１ｃは、蛍光塗料１３を塗装する際に使用される治具２０（図３及び図４参照）に嵌め込む位置決め用の突起として機能する。
【手続補正１６】
【補正対象書類名】明細書
【補正対象項目名】００３１
【補正方法】変更
【補正の内容】
【００３１】
このように、遊技機部品１０によれば、紫外線（例えば、ブラックライト）がその凹凸（３次元を構成する物品における、互いに異なる角度を有する面）に陰影をもって照らされるので、蛍光にもグラデーションを創出させることができ、結果として美観が高まる。これにより、従来にないデザインに優れる遊技機部品を構成することができる。この遊技機部品を遊技機又は遊技媒体貸出機に取り付けておき、当該遊技機部品に適宜紫外線を照射することで、新たな演出が可能になる。これにより、他の遊技機と差別化することができる。結果、遊技者を惹きつけることができる。
【手続補正１７】
【補正対象書類名】明細書
【補正対象項目名】００３２
【補正方法】変更
【補正の内容】
【００３２】
そして、オフセット印刷、シルク印刷、パッド印刷などで実現できない印刷状態を可能にする。すなわち、３次元を構成する物品における、互いに異なる角度を有する面の一部分への塗装（印刷）を可能にする。そして、遊技機部品１０は、紫外線（例えば、ブラックライト）により発色する蛍光塗料が塗装されているので、紫外線の照射により、遊技機部品１０の蛍光塗料１３を塗装した一部分（例えば、目立たせたい部分）を発色させることができる。結果、遊技者をさらに惹きつけることができる。
【手続補正１８】
【補正対象書類名】明細書
【補正対象項目名】００３６
【補正方法】変更
【補正の内容】
【００３６】
あるいは、上記実施形態において、蛍光塗料１３が塗装される３次元を構成する物品における、互いに異なる角度を有する面は、プラスチック成型品１１に鍍金調塗料１２を塗装したものであるが、本発明はこれに限定されず、プラスチック成型品１１に各種鍍金（例えば、電界鍍金、真空蒸着）を施したものであってもよい。あるいは、プラスチック成型品１１の生地（素地）であってもよい。